(57)【特許請求の範囲】
【請求項１】
合成樹脂製パイプの長手方向が切除されて形成された断面円弧状部分により囲まれた容器収納部と容器挿嵌口とを有する容器保持部材が円周方向にほぼ等間隔で複数個連結した容器ホルダーであって、前記容器保持部材の中央に配設された保持部材固定パイプに、結束部材を用いて前記容器保持部材がそれぞれ固定され、前記容器保持部材の内周面の容器挿嵌口から遠く離れた部分に突条が設けられており、容器ホルダーを接続することができる接続ツールにより、互いに接続されていることを特徴とする容器ホルダー。
【請求項２】
合成樹脂製パイプの半径をｒとしたときに、断面円弧状部分の長さがπｒより大きいことを特徴とする請求項１記載の容器ホルダー。
【請求項３】
容器保持部材を連結するための結束部材の一部を容器保持部材の内周面に露出させ、該露出部分を突条とすることを特徴とする請求項１又は２に記載の容器ホルダー。
【発明の詳細な説明】
【０００１】
【発明の属する技術分野】
本発明はバイヤル瓶等の容器を洗浄する際に用いられる、複数本のバイヤル瓶等の容器を一度に保持することのできる容器ホルダーに関する。
【０００２】
【従来の技術】
実験室や試験室等で使用される容器は、原料や製品のサンプル検査など同じ種類・形状の容器を複数個同時に使用することが多く、これに伴い容器保持具等に様々な工夫がなされている。例えば、特開平１１−２５３８２１号公報には、複数個の容器を収容して整理保管するために、病原体等の検査、試験、研究に用いるシャーレを複数個積み重ねてコンパクトに収容できるシャーレストッカーが記載されている。このシャーレストッカーは、ベース上に四本の金属製の整理規制桿を円方向に等間隔で鉛直に立設し、シャーレの大きさに対応した半円形上に形成し、上下方向に相対向しているリング桿を連結させる金属製の四個のシャーレ保持部材を背合わせに四本の規制桿に挟ませて、シャーレの横方向の動きを規制してシャーレを生理保管するものである。
【０００３】
【発明が解決しようとする課題】
バイヤル瓶等のサンプル検査等に使用される容器は、一回の検査で多数のサンプルを試験することからその使用個数は多く、使用済み容器は通常洗浄され、次のサンプル検査に用いられる。そして、これら容器の中でも、有機溶媒槽等の洗浄槽への浸漬洗浄が必要とされるバイアル瓶等の容器を洗浄する場合、洗浄槽にバイヤル瓶等の容器を１本ずつ投入していたが、バイアル瓶等の容器が容易に沈漬せず、１本ずつ人手により液面下に漬け込み、また洗浄後には、有機溶媒槽等に浸漬されたバイアル瓶等の容器を１本ずつ取り出さなければならず、手間がかかるという問題があった。
【０００４】
本発明の課題は、複数本のバイヤル瓶等の容器を一度に簡便かつ確実に保持することができ、加えて有機溶媒槽等の洗浄槽での浸漬洗浄に際して容器外周面をも有機溶媒等の洗浄液と接触させることができる、容器を洗浄する際に用いられる容器ホルダーを提供することにある。
【０００５】
【課題を解決するための手段】
本発明者等は、複数本のバイヤル瓶を一度に簡便かつ確実に保持することができる容器ホルダー、例えば、合成樹脂製パイプの長手方向が切除されて形成された断面円弧状部分により囲まれた容器収納部及び容器挿嵌口を有する容器保持部材が複数個連結された容器ホルダーを数個試作し、その問題点等を検討したところ、バイヤル瓶を保持しうる容器保持部材の数が多ければ多い程バイアル瓶を保持した容器ホルダーが容易に沈漬すること、容器保持部材を円周方向にほぼ等間隔で複数個連結することにより安定的に載置できることがわかったが、容器保持部材の上記容器収納部にバイヤル瓶を隙間なく面接触させると、バイヤル瓶の外周面が洗浄されないことがわかった。そこで、前記容器保持部材の内周面の容器挿嵌口から遠く離れた部分に突条を設けたところ、容器保持部材の内周面とバイヤル瓶の外周面との間に隙間が形成され、容器外周面の洗浄が可能となるばかりでなく、容器保持部材の容器挿嵌口を形成する両端縁部と前記突条との３箇所で、バイヤル瓶が確実に保持されることを見い出し、本発明を完成させるに至った。
【０００６】
すなわち本発明は、
（１）合成樹脂製パイプの長手方向が切除されて形成された断面円弧状部分により囲まれた容器収納部と容器挿嵌口とを有する容器保持部材が円周方向にほぼ等間隔で複数個連結した容器ホルダーであって、前記容器保持部材の中央に配設された保持部材固定パイプに、結束部材を用いて前記容器保持部材がそれぞれ固定され、前記容器保持部材の内周面の容器挿嵌口から遠く離れた部分に突条が設けられていることを特徴とする容器ホルダー、
（２）合成樹脂製パイプの半径をｒとしたときに、断面円弧状部分の長さがπｒより大きいことを特徴とする上記（１）記載の容器ホルダー、
（３）容器保持部材を連結するための結束部材の一部を容器保持部材の内周面に露出させ、該露出部分を突条とすることを特徴とする上記（１）又は（２）に記載の容器ホルダー、
（４）容器ホルダーを接続することができる接続ツールにより、互いに接続されていることを特徴とする上記（１）〜（３）のいずれかに記載の容器ホルダー、及び、
（５）合成樹脂製パイプの長手方向が切除されて形成された断面円弧状部分により囲まれた容器収納部と容器挿嵌口とを有する容器保持部材が複数個連結した容器ホルダーであって、前記容器保持部材の内周面の容器挿嵌口から遠く離れた部分に突条が設けられており、容器ホルダーを接続することができる接続ツールにより、互いに接続されていることを特徴とする容器ホルダー
に関する。
【０００７】
【発明の実施の形態】
本発明の容器ホルダーとしては、合成樹脂製パイプの長手方向が切除されて形成された断面円弧状部分により囲まれた容器収納部と容器挿嵌口とを有する容器保持部材が複数個連結した容器ホルダーであって、前記容器保持部材の内周面の容器挿嵌口から遠く離れた部分に突条が設けられているものであればどのようなものでもよく、かかる突条を設けることにより、容器保持部材内周面と容器外周面との間に隙間が生じ、容器外周面を洗浄液と接触させることができるばかりでなく、容器保持部材の挿嵌口から容器収納部内に容器を前記突条に当接するまで挿嵌すると、パイプ長手方向の切除により形成された容器保持部材の両端縁部の原型に復帰しようとする弾性力により、容器を確実に保持することができる。また、パイプ長手方向の切除部分は容器を挿嵌することができる幅とすることが必要であるが、上記断面円弧状部分の断面を半円以上、すなわちパイプの半径をｒとしたときに断面円弧状部分の長さをπｒより大きくすると、前記弾性力がパイプ中心方向に向かい、容器をより確実に保持しうることから好ましい。
【０００８】
容器ホルダーにおける複数個の容器保持部材の連結の仕方としては、これら容器保持部材を直線状に一列に並べて適宜手段により連結することもできるが、容器保持部材を円周方向にほぼ等間隔で連結すると載置した場合の安定性が増すので好ましい。また、オートサンプラー用のバイヤル瓶等の小さい保持容器の場合、より多くの保持容器を同時処理して洗浄効率を一層高めるために、接続ツールを用いて、例えば２〜１０個、好ましくは３〜７個の容器ホルダー同士を接続し、この接続された複数個の容器ホルダーを１群の容器ホルダーとして取り扱うこともできる。かかる接続ツールとしては、複数個の容器ホルダーを接続・固定して１群の容器ホルダーとして取り扱うことができるものであれば特に制限されるものではないが、容器保持部材を円周方向にほぼ等間隔で複数個連結してなる容器ホルダーを接続する場合の接続ツールとしては、例えば、両端部に係止部を有するテフロン製の板状体を具体的に例示することができる。また、接続ツールの使用に際しては、容器ホルダーにバイヤル瓶を装着した後、接続ツールの係止部を容器保持部材間に上方から嵌入するか、あるいは、接続ツールを同様に用いてあらかじめ容器ホルダーを接続した後、バイヤル瓶を上方から装着してもよい。その他、容器保持部材を円周方向にほぼ等間隔で複数個連結してなる容器ホルダーの場合、該容器ホルダーを２段以上積み上げて１つの容器ホルダーとすることもできる。
【０００９】
容器保持部材の内周面の容器挿嵌口から遠く離れた部分に設けられる突条は、パイプ長手方向に連続した直線状のものであっても、その一部の線分状のものであってもよい。また、かかる突条を容器保持部材の内周面に配設する方法としては特に制限されるものではないが、容器保持部材を連結するための結束部材の一部を容器保持部材の内周面に露出させ、該露出部分を突条とすることもでき、この場合、別途突条を配設する手間が不要となることから好ましい。例えば、６個の容器保持部材の中央に配設された保持部材固定パイプに、６個の結束部材を用いて６個の容器保持部材をそれぞれ固定することもできる。
【００１０】
本発明の容器ホルダーに保持される保持容器としては、例えばバイヤル瓶等の断面円形の容器を挙げることができるが、その他断面楕円状等の柱状容器など、本発明の容器ホルダーにて保持されることが可能な容器であればどのようなものでもよい。また、かかる容器の外周面を傷つけることなく、その弾性力により確実に保持しうる観点からして、前記容器保持部材の材質としては、弾性力があり、耐有機溶媒性を有するポリエチレン等の有機高分子合成樹脂が好ましい。
【００１１】
【実施例】
以下、本発明の容器ホルダーの実施例を図面により詳細に説明するが、本発明の技術的範囲はかかる実施例により限定されるものではない。なお、図１は本発明の容器ホルダーの斜視図、図２は本発明の容器ホルダーの平面図、図３はバイヤル瓶を挿着した本発明の容器ホルダーの斜視図、図４はバイヤル瓶を挿着した本発明の容器ホルダーの平面図、図５は容器保持部材と保持部材固定パイプとを結束部材を用いて固定した状態の概略縦断面図、図６はバイヤル瓶を挿着した本発明の容器ホルダーが洗浄槽に沈降している状態を示す図、図７は接続ツールを容器ホルダーに用いるときの説明図、図８は接続ツールの横断面図、図９は接続ツールにより接続・固定された本発明の１群の容器ホルダーの平面図である。また、上記図１〜９において、１と１１は容器ホルダー、２は容器保持部材、３は容器保持部材の両端縁部、４は容器収納部、５は容器挿嵌口、６は断面円弧状部分、７は結束具、８は突条部分、９は保持部材固定パイプ、１０は接続ツール、１２は接続ツールの係止部、１３は接続ツールのネック部、Ｂはバイヤル瓶、Ｗは洗浄槽をそれぞれ示している。
【００１２】
図１〜４に示される本発明の容器ホルダー１は、中密度ポリエチレン製のパイプ（長さ４０ｍｍ、外径３５ｍｍ、厚さ３ｍｍ）の長手方向が切除されて形成された６個の容器保持部材２が、保持部材固定パイプ９を介して円周方向にほぼ等間隔で連結され、容器保持部材２には、断面円弧状部分６（７０ｍｍ）により囲まれた容器収納部４と容器挿嵌口５とが形成されている。６個の容器保持部材２と保持部材固定パイプ９とには、図５に示すように、対向する位置にそれぞれ２つの孔が設けられており、この孔に低密度ポリエチレン製のバンド状結束具７を挿通した後、結束することにより６個の容器保持部材２が保持部材固定パイプ９に固定されている。また図３及び４に示されるように、容器挿嵌口５から挿嵌されたバイアル瓶Ｂ（外径３０ｍｍ）は、容器収納部４内に押し込まれ、容器保持部材の両端縁部３と突条部分８の３箇所で固定されている。この突条部分８は図５に示すように、保持部材固定パイプ９とそれぞれの容器保持部材２とを結束している結束具７の容器保持部材２内周面に露出している部分から構成されている。そして、バイアル瓶Ｂが挿着された容器ホルダー１は、図６に示されるように、洗浄槽Ｗに沈積される。
【００１３】
次に、図７〜９により、接続ツール１０を用いて、図１〜４に示される容器ホルダーと同タイプの複数個の容器ホルダー１１を接続して１群の容器ホルダーとして使用する場合について説明する。図７及び図８に示されるように、接続ツール１０はその両端部に係止部１２を有するテフロン製の板状体（横幅３５ｍｍ、高さ２０ｍｍ）から構成されている。接続ツール１０の本体板状部は中心部からその両外側に向かって厚みが薄くなるように形成され、厚みが薄くなったネック部１３の外側に膨らみをもった係止部１２が一体的に形成されている。また、容器ホルダー１１は、図１〜４に示される容器ホルダー１と異なり、互いに隣り合う容器保持部材２の間に、前記接続ツール１０の本体板状部の厚みが薄くなったネック部１３を嵌入することができる間隙を有している。図７には、バイヤル瓶Ｂが装着された容器ホルダー１１の容器保持部材２間に、接続ツール１０の係止部１１を嵌入する様子が図示されている。また、図９には、７個の容器ホルダー１同士を１２個の接続ツール１０で互いに接続・固定した１群の容器ホルダーが示されている。
【００１４】
【発明の効果】
本発明によると、複数本のバイヤル瓶等の容器を一度に簡便かつ確実に保持することができ、加えて容器を有機溶媒槽等での浸漬洗浄に際して容器外周面をも有機溶媒等の洗浄液と接触させ、容器の内外周面を洗浄することができる。その結果、有機溶媒槽等での浸漬洗浄に引き続き実施される超音波洗浄の際、バイヤル瓶等の容器が挿着された容器ホルダーごと超音波洗浄器に浸漬させても、容器外周面に残存する汚れに起因するコンタミネーションを防ぐことができる。また、分析に際してバイヤル瓶等の容器の外周面にサンプルＮｏ等を油性のフェルトペン等を用いて記入する場合も多く、かかる外周面の記号等も洗浄することができる。また、オートサンプラー用のバイヤル瓶等の小型容器の場合、接続ツールを用いて複数個の容器ホルダーを１群の容器ホルダーとして取り扱うことにより、より多くの容器を同時処理して洗浄効率を一層高めることができる。
【図面の簡単な説明】
【図１】本発明の容器ホルダーの斜視図である。
【図２】本発明の容器ホルダーの平面図である。
【図３】バイヤル瓶を挿着した本発明の容器ホルダーの斜視図である。
【図４】バイヤル瓶を挿着した本発明の容器ホルダーの平面図である。
【図５】容器保持部材と保持部材固定パイプとを結束部材を用いて固定した状態の概略縦断面図である。
【図６】バイヤル瓶を挿着した本発明の容器ホルダーが洗浄槽に沈降している状態を示す図である。
【図７】接続ツールを容器ホルダーに用いるときの説明図である。
【図８】接続ツールの横断面図である。
【図９】接続ツールにより接続・固定された本発明の１群の容器ホルダーの平面図である。
【符号の説明】
１    容器ホルダー
２    容器保持部材
３    容器保持部材の両端縁部
４    容器収納部
５    容器挿嵌口
６    断面円弧状部分
７    結束具
８    突条部分
９    保持部材固定パイプ
１０  接続ツール
１１  容器ホルダー
１２  接続ツールの係止部
１３  接続ツールのネック部
Ｂ    バイヤル瓶
Ｗ    洗浄槽
【図１】
0004515620.tif 000002
【図２】
0004515620.tif 000003
【図３】
0004515620.tif 000004
【図４】
0004515620.tif 000005
【図５】
0004515620.tif 000006
【図６】
0004515620.tif 000007
【図７】
0004515620.tif 000008
【図８】
0004515620.tif 000009
【図９】
0004515620.tif 000010